(57)【要約】【課題】保守員が点検する現場の前回作業項目および点検測定値を情報処理端末に予め格納すること、保守員による作業項目および測定値をサーバへ送信することを不要とする。【解決手段】昇降機を点検するための作業スケジュールおよび作業項目および点検測定値を格納するメモリと、昇降機の状態を測定するセンサ１１と、センサ１１から得られるデータやメモリに格納されたデータを演算処理し測定項目の良否判定を行う演算処理部を備える情報処理端末１と、エレベーターを常時監視し、かつ、保守員が点検する現場の前回および今回の作業項目および点検測定値を格納するためのメモリ３１を備える監視装置３と、情報処理端末１と前記監視装置３とを接続し、相互の情報を授受する通信手段と、監視装置３に格納した点検時の作業項目および点検測定値を含む、エレベーターの監視情報を蓄積するサーバ５１と、監視装置３とサーバ５１間を結ぶ通信回線４とを有する。【選択図】図１
2012218886.tif 000002
【特許請求の範囲】
【請求項１】
昇降機を点検するための作業スケジュールおよび作業項目および点検測定値を格納するメモリと、昇降機の状態を測定するセンサと、前記センサから得られるデータやメモリに格納されたデータを演算処理し、測定項目の良否判定を行う演算処理部とを備える情報処理端末と、
エレベーターを常時監視し、かつ、保守員が点検する現場の前回および今回の作業項目および点検測定値を格納するためのメモリを備える監視装置と、
情報処理端末と前記監視装置とを接続し、相互の情報を授受する通信手段と、
監視装置に格納した点検時の作業項目および点検測定値を含む、エレベーターの監視情報を蓄積するサーバと、
前記監視装置と前記サーバ間を結ぶ通信回線と、
を有する昇降機の保全作業管理システムにおいて、
前記情報処理端末が前記監視装置のメモリから、保守員が点検する現場の前回の作業項目および点検測定値を読出す手段を備えることを特徴とする昇降機の保全作業管理システム。
【請求項２】
請求項１記載の昇降機の保全作業管理システムにおいて、前記情報処理端末が前記監視装置のメモリに、保守員が点検する現場の今回の作業項目および点検測定値を書き込む処理手段を備えることを特徴とする昇降機の保全作業管理システム。
【請求項３】
請求項１記載の昇降機の保全作業管理システムにおいて、監視装置に格納した点検時の作業項目および点検測定値を含む、前記エレベーターの監視情報を定期的に前記サーバへ送信する通信処理手段を備えることを特徴とする昇降機の保全作業管理システム。
【発明の詳細な説明】
【技術分野】
【０００１】
本発明は、昇降機の点検データなどを管理する昇降機の保全作業管理システムに関する。
【背景技術】
【０００２】
エレベーターやエスカレーターのような昇降機の状態を維持、管理するために、保守員が定期的に点検、整備作業を実施する。現地での点検では、保守員は測定機器を用いて各部の計測を行い、測定値の大小による状態判定を実施する。
【０００３】
このような点検、整備作業を管理するために、次のような技術が知られている。
【０００４】
特許文献１に開示された保全作業の管理装置は、保守員が携帯する情報処理端末に前回作業項目および点検測定値が格納され、今回作業項目および点検測定値とが比較演算され、得られた演算判定結果が出力される。
【０００５】
また、特許文献２に開示された昇降橡の異常診断方法は、保守員が携帯する異常診断器に各部ごとの計測値の良否判定を行う判定値を持ち、異常診断器を昇降機の各部に移動しながら計測を行い、各部の良否を判定する。また、得られた演算判定結果は保守サービスセンタに送信する。
【先行技術文献】
【特許文献】
【０００６】
【特許文献１】特開平６−１６２３７９号公報
【特許文献２】特開２００６−１１７４３５号公報
【発明の概要】
【発明が解決しようとする課題】
【０００７】
しかし、特許文献１、特許文献２に開示される技術のいずれにおいても、保守員が点検する現場の前回作業項目および点検測定値を情報処理端末に予め格納しておく必要があり、急な予定変更により当該保守員とは別の保守員が現場作業を行う場合は、その保守員の情報処理端末に前回作業項目および点検測定値を格納する必要があり、予定変更に対応しにくいという問題がある。
【０００８】
また、点検時に実施した作業項目および点検測定値は、一般には通信回線を通じてサーバに格納して一括管理するが、特許文献１、特許文献２のいずれの場合においてもこれらの情報を情報処理端末に一旦格納するため、情報処理端末をサーバと接続してこれらのデータを送信する必要がある。このため、点検終了後におけるサーバへの送信処理を必要とするという問題がある。
【０００９】
本発明は前述の事情を考慮してなされたものであり、その第−の目的は、保守員が点検する現場の前回作業項目および点検測定値を情報処理端末に予め格納しておく必要がなく、予定変更に対応しやすい昇降機の保全作業管理システムを提供することにある。
【００１０】
第二の目的は、点検時に実施した作業項目および点検測定値のサーバへの送信処理を必要としない昇降機の保全作業管理システムを提供することにある。
【課題を解決するための手段】
【００１１】
前述の目的を達成するために、本発明に係る昇降機の保全作業管理システムは、昇降機を点検するための作業スケジュールおよび作業項目および点検測定値を格納するメモリと、昇降機の状態を測定するセンサと、センサから得られるデータやメモリに格納されたデータを演算処理し、測定項目の良否判定を行う演算処理部とを有する情報処理端末と、エレベーターを常時監視し、かつ、保守員が点検する現場の前回および今回の作業項目および点検測定値を格納するためのメモリを有する監視装置と、情報処理端末と監視装置とを接続し、相互の情報を授受する通信手段と、監視装置に格納した点検時の作業項目および点検測定値を含む、エレベーターの監視情報を蓄積するサーバと、監視装置とサーバ間を結ぶ通信回線とを備える。
【００１２】
また、上記昇降機の保全作業管理システムは、情報処理端末が監視装置のメモリから、保守員が点検する現場の前回の作業項目および点検測定値を読出す処理プログラムを備えていても良い。
【００１３】
また、上記昇降機の保全作業管理システムは、情報処理端末が監視装置のメモリに、保守員が点検する現場の今回の作業項目および点検測定値を書き込む処理手段を備えていても良い。
【００１４】
また、上記昇降機の保全作業管理システムは、監視装置に格納した点検時の作業項目および点検測定値を含むエレベーターの監視情報を定期的にサーバへ送信する通信処理手段を備えていても良い。
【発明の効果】
【００１５】
本発明によれば、保守員は情報処理端末を用いて、監視装置のメモリに格納された前回の作業項目および点検測定値を読出すことができる。これにより、保守員が点検する現場の前回作業項目および点検測定値を情報処理端末に予め格納しておく必要がなく、予定変更に対応しやすい昇降機の保全作業管理システムを提供することができる。
【００１６】
また、情報処理端末が前記監視装置のメモリに、保守員が点検した今回の作業項目および点検測定値を書き込むことができるため、作業終了後も情報処理端末に保守員が点検した今回の作業項目および点検測定値を残す必要がない。これにより、顧客情報の漏洩の危険性が少ない昇降機の保全作業管理システムを提供することができる。
【００１７】
さらに、監視装置は、格納した点検時の作業項目および点検測定値を含む、エレベーターの監視情報を定期的に前記サーバへ送信し、作業項目および点検測定値を含む前記エレベーターの監視情報をサーバに蓄積することができる。これにより、点検時に実施した作業項目および点検測定値のサーバへの送信処理を必要としない昇降機の保全作業管理システムを提供することができる。
【図面の簡単な説明】
【００１８】
【図１】本発明の一実施形態に係る昇降機の保全作業管理システムのシステム構成を示す図である。
【図２】図１のシステムによって管理される保守員の点検作業のフローを示す図である。
【図３】ブレーキ制動距離測定の測定フローを示す図である。
【発明を実施するための形態】
【００１９】
本発明の一実施形態に係る昇降機の保全作業管理システムについて説明する。
【００２０】
図１は、保全作業管理システムの全体構成図を示す。
【００２１】
本システムは、情報処理端末１の一部であるか、もしくは情報処理端末１に着脱可能に接続されるものであって、エレベーターの状態を計測するセンサ１１と、保守員の作業スケジュールや作業内容および点検における測定結果を記憶するメモリ１２と、センサから入力される信号処理を行い、その測定結果から良否判定を行う演算部１３と、測定結果を外部に送信したり、前回測定結果を外部から受信したりする通信部１４ａ、１４ｂを備えており、携帯可能で保守員の作業管理および点検測定を行う情報処理端末１と、制御盤２１を備えるエレベーター２と、エレベーター２からの運転情報や監視状態を記憶するメモリ３１と、制御盤２１から得られる運転情報をメモリ３１から取り出して演算を行い、監視情報としてメモリ３１に記録処理する演算部３２と、測定結果を外部に送信したり、前回測定結果を外部から受信したりする通信部３３ａ、３３ｂを備える監視装置３と、監視装置３に蓄積された監視情報を定期的に管制センター５に送信すると共に、エレベーター２の故障や乗客の閉じ込めが発生した時は、直ちに外部に通報するための回線である電話回線４と、監視装置３から定期的に送られてくるそのデータを一括して保管するサーバ５１を備える管制センター５と、サーバ５にて蓄積されたデータや点検者の点検スケジュール、点検実施後の作業報告などを各拠点６１に送受信する社内ネットワーク回線６とからなっている。
【００２２】
図２は、図１のシステムによって管理される保守員の点検作業のフローを示す。保守員は、点検現場へ赴く前に、自己の拠点６１において情報処理端末１を社内ネットワーク回線６に接続して（ステップＳｌｌ）、管制センター５から当日の作業スケジュールを受信してメモリ１２に取込む（ステップＳ１２）。点検項目は予め計画的に決められ、保守作業内容は保守員に受信したスケジュールによって指示される。保守員は、スケジュールを取込んだ情報処理端末１を携帯して現場に行き（ステップＳ１３）、情報処理端末１に取込んだスケジュールに従って点検・整備作業を実施する（ステップ１４）。スケジュールにおける点検項目中に各種の測定項目が指定されていれば、情報処理端末１を使用して各種点検や測定を実施する。本実施形態において、測定とは、ブレーキの動作特性や制動距離の測定など、エレベーターにセンサを一時的に取り付け、かつエレベーターを通常とは異なる測定用の特殊なモードで運転させて行うものであり、監視装置３では実施できない、もしくは実施していない測定を指す。保守員は、点検・整備作業が終了すると、情報処理端末１に当日の作業実績を入力してメモリ１２に記憶させ、自己の拠点６１に帰る（ステップＳ１５）。自己の拠点６１に帰着後、保守員は、情報処理端末１を社内ネットワーク６に接続し（ステップＳ１６）、当日の作業実績を管制センター５のサーバ５１へ送信する（ステップＳ１７）。
【００２３】
図３は測定項目の一例であるブレーキ制動距離測定の測定フローを示したものである。制動距離測定は、まず、かごを最下階に停止させ（ステップＳ２１）、制動距離測定のための運転モードを設定する（ステップＳ２２）。次いで、無負荷の状態で最下階から一定速度で上昇（ＵＰ）運転させる（ステップＳ２３）。制動距離測定モード下では速度は４５ｍ／ｍｉｎ程度となり、最上階付近の所定の位置に達するとブザーが鳴動する（ステップＳ２５）。このブザー鳴動中に、保守員は最下階のホールドアを強制的に開くなど、人為的に非常停止をさせる（ステップＳ２６）。エレベーター制御盤２１はこのときの制動距離を計測し、メモリに格納する（ステップＳ２７）。この制動距離が適正であるかどうかは、各エレベーターの仕様、すなわち揚程やかごの定員（最大運搬重量）、速度、および使用しているブレーキの型式で決まる係数を含む計算式によって求められる判定値Ａの大きさと（ステップＳ２８）、一年前程度の一定期間前に測定した制動距離によって求められた前回の判定値Ａ’と今回の判定値Ａの変化量によって判断される。情報処理端末１は制御盤２１より制動距離を読出し、今回の判定値Ａを算出すると、監視装置３と接続する。監視装置３のメモリ３１には、少なくとも前回の測定日と判定値Ａ’を含む前回の測定結果が格納されていて、情報処理端末１は監視装置３からこの値を読み出し、今回の判定値と比較し（ステップＳ２９）、ブレーキ制動距離の良否を判定する（ステップＳ３０）。また、情報処理端末１から監視装置３に、少なくとも今回の測定日と判定値を含む今回の測定結果を送信し監視装置３のメモリ３１に格納する。
【００２４】
このようにすることで、情報処理端末１に今回の測定結果を保存する必要がなくなり、情報処理端末１に前回の測定結果を格納してから現場に出発する必要がなくなる。
【００２５】
また、監視装置３が故障して交換した場合も管制センター５から前回の測定値を取り込むことができるその結果、情報処理端末１に顧客データを残す必要がなく、セキュリティ上有効である。
【００２６】
また、さらに、作業予定者以外の保守員が作業することになるなど、計画外に測定作業が必要になった場合も前回測定結果を取得せずに現場で作業ができる。
【符号の説明】
【００２７】
１  情報処理端末
１１  センサ
１２  メモリ
１３  演算部
１４ａ，１４ｂ  通信部
２  エレベーター
２１  制御盤
３  監視装置  
３１  メモリ
３２  演算部
３３ａ，３３ｂ  通信部
４  電帯回線
５  管制センター
５１  サーバ
６  社内ネットワーク回線
６１  拠点
【図１】
2012218886.tif 000003
【図２】
2012218886.tif 000004
【図３】
2012218886.tif 000005